Podtech/llm-jp-corpus-v4-ja_patent huggingface dataset:
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
ノズル列からインク滴を吐出する記録ヘッドと、前記ノズル列に当接させるキャップ部材と、前記記録ヘッドのインク液室にインクを供給するインクタンクと、前記インクタンクから前記インク液室にインクを送るためのインク流路と、を有するインクジェット記録装置の前記ノズル列を、前記キャップ部材を介して前記記録ヘッドに負圧を発生させる負圧発生工程により前記記録ヘッドの吸引回復を行なう吸引回復方法であって、
前記負圧発生工程は、前記インク液室と前記インク流路の間に具備される可撓性の弁と、前記負圧発生工程の気体および液体の流れを制御するための制御弁とを開閉動作させることを特徴とする吸引回復方法。
【請求項２】
前記負圧発生工程は、前記可撓性の弁と前記制御弁との開閉動作を、複数回組み合わせることを特徴とする請求項１に記載の吸引回復方法。
【請求項３】
前記負圧発生工程は、前記可撓性の弁を閉状態とし、前記制御弁を開状態とする第１工程と、前記可撓性の弁を閉状態としたまま前記制御弁を閉状態とする第２工程と、前記可撓性の弁を閉状態から開状態とした後に、前記制御弁を閉状態から開状態とする第３工程と、を有することを特徴とする請求項１または請求項２に記載の吸引回復方法。
【請求項４】
前記第１工程と前記第２工程と前記第３工程を複数回繰り返すことを特徴とする請求項３のいずれかに記載の吸引回復方法。
【請求項５】
前記負圧発生工程の前に、前記可撓性の弁が開状態を維持した状態で、前記制御弁の開閉動作を複数回実施して前記記録ヘッドに負圧を発生させることを特徴とする請求項１から請求項４のいずれかに記載の吸引回復方法。
【請求項６】
前記負圧発生工程の後に、前記可撓性の弁が開状態を維持した状態で、前記制御弁の開閉動作を複数回実施して前記記録ヘッドに負圧を発生させることを特徴とする請求項１から請求項４のいずれかに記載の吸引回復方法。
【請求項７】
前記負圧発生工程の前に、前記可撓性の弁を開状態に維持し、前記制御弁を開状態に維持し、前記記録ヘッドに負圧を発生させることを特徴とする請求項１から請求項６のいずれかに記載の吸引回復方法。
【請求項８】
前記負圧発生工程の後に、前記可撓性の弁を開状態に維持し、前記制御弁を開状態に維持し、前記記録ヘッドに負圧を発生させることを特徴とする請求項１から請求項６のいずれかに記載の吸引回復方法。
【請求項９】
前記インクジェット記録装置は、ノズル列に当接させるキャップ部材が複数備えられ、前記負圧発生工程は、それぞれのキャップ部材ごとに行なわれることを特徴とする請求項１から請求項８のいずれかに記載の吸引回復方法。
【請求項１０】
ノズル列からインク滴を吐出する記録ヘッドと、前記ノズル列に当接させるキャップ部材と、前記記録ヘッドのインク液室にインクを供給するインクタンクと、前記インクタンクから前記インク液室にインクを送るためのインク流路と、前記キャップ部材を介して前記記録ヘッドに負圧を発生させる負圧発生手段により前記記録ヘッドの吸引回復を行なう吸引回復手段と、を備えたインクジェット記録装置であって、
前記吸引回復手段は、前記インク液室と前記インク流路の間に具備される可撓性の弁と、前記インクタンクのインク液を加圧することにより前記インク液室にインクを供給するためのインク供給手段と、前記負圧発生手段の気体および液体の流れを制御するための制御弁とを有し、前記可撓性の弁と前記制御弁とを開閉動作させることにより制御されることを特徴とするインクジェット記録装置。
【請求項１１】
前記吸引回復手段は、前記可撓性の弁と前記制御弁との開閉動作を、複数回組み合わせることを特徴とする請求項１０に記載のインクジェット記録装置。
【手続補正書】
【提出日】平成23年3月29日(2011.3.29)
【手続補正１】
【補正対象書類名】明細書
【補正対象項目名】００２２
【補正方法】変更
【補正の内容】
【００２２】
このように構成された切削加工装置による切削加工は以下のように実施される。まず上述した手順で動剛性が最大となる角度（θ）が求められる。そして、この測定結果から、ワーク５の動剛性が大きい方向がＸ軸方向からθの角度である場合（図２に示した状態）、数値制御装置４０により工具主軸７の工具主軸回動部Ｌ１が制御されて、ワーク５の軸線Ｍ１に向かって、即ち回転中心に向かって切り込む角度がθとなる。
その後、数値制御装置４０により、Ｘ軸モータ１０ａ及びＹ軸モータ８ａが操作されて、この角度において切削工具６の工具軸線Ｍ３がワーク軸線Ｍ１に交差する状態が維持され、切削工具６がワーク軸線Ｍ１に向かって切り込む切削制御（旋削制御）が行われる。
【手続補正２】
【補正対象書類名】明細書
【補正対象項目名】００２３
【補正方法】変更
【補正の内容】
【００２３】
ワーク５に対する切削外径加工は、ワーク５を主軸２とともに回転させながら、切削工具６の切り込み角度θを一定に保つと共に、工具軸線Ｍ３をワーク軸線Ｍ１に交差させた状態を維持させて切削工具６を並進移動させて行われる。即ち、切削工具６をワーク５に対してワーク軸線Ｍ１に向かって切り込んで切削される。
切削工具６の並進操作は、Ｘ軸モータ１０ａとＹ軸モータ８ａを協調動作させて工具主軸７を移動させることで実施され、こうしてワーク５の外周面が切り込まれる。ついで、ワーク軸線Ｍ１に沿って送ることにより外径切削加工が行われる。
【手続補正３】
【補正対象書類名】明細書
【補正対象項目名】００３４
【補正方法】変更
【補正の内容】
【００３４】
〈第３実施形態〉
図６，７は本発明に係る切削加工装置の第３の実施形態を示す説明図であり、図６はＹ軸方向から見た平面図、図７はワーク５の軸線Ｍ方向から見た正面図を示している。上記第１の実施形態とは工具駆動機構は同様であるが、切削工具２５自身が回転して転削加工を行う点が異なっている。
図６，７において、２４は工具回転モータ（図示せず）を内蔵した工具主軸、２５は回転切削する回転工具（切削工具）、２６はサドル９により工具主軸２４を移動操作する主軸保持体であり、上記図１と同一の構成要素には同一の符号を付与してある。尚、主軸保持体２６には、切削工具２５の切り込み角度の変更を可能とする工具主軸回動部Ｌ２が設けられている。
【手続補正４】
【補正対象書類名】明細書
【補正対象項目名】００３８
【補正方法】変更
【補正の内容】
【００３８】
尚、エンドミル等の工具を用いて、ワークの軸線方向に沿って工具を送ることにより外周に溝を加工したり、平面を加工したりする場合も同様であり、切削工具２５の角度を割り出し、Ｘ，Ｙ軸の合成による移動動作で工具軸線Ｍ３に沿って工具を送って切り込み、更に図示しないＺ軸（ワーク軸線方向）の移動を行うことにより切削加工が行われる。
【手続補正５】
【補正対象書類名】明細書
【補正対象項目名】００４０
【補正方法】変更
【補正の内容】
【００４０】
〈第４実施形態〉
図９は本発明に係る切削加工装置の第４の実施形態を示し、ワーク５の軸線方向から見た正面図を示している。上記第２の実施形態とは工具駆動機構は同様であるが、切削工具２９自身が回転して転削加工を行う点が異なっている。
図９において、２９は回転切削する回転工具（切削工具）、３０はモータ（工具回転モータ）を内蔵した刃物台であり、上記図４と同一の構成要素には同一の符号を付与して説明を省略する。
【手続補正６】
【補正対象書類名】明細書
【補正対象項目名】００４３
【補正方法】変更
【補正の内容】
【００４３】
その後、数値制御装置４０により、ワーク軸線Ｍ１と工具軸線Ｍ４が交差するよう刃物台３０の高さがＹ軸移動機構部１６のＹ軸モータ１６ａで調整され、その後ＸＳ軸移動機構部２１のＸＳモータ２１ａが制御されて刃物台２０及び切削工具１９が並進動作して、回転させた切削工具２９によりワーク５の軸線Ｍ１に向かって切り込みが成され、切削加工（転削加工）が実施される。
【手続補正７】
【補正対象書類名】明細書
【補正対象項目名】００４４
【補正方法】変更
【補正の内容】
【００４４】
尚、上記第３の実施形態と同様に、エンドミル等の工具を用いて、ワークの軸線方向に沿って工具を送ることにより外周に溝を加工したり、平面を加工したりする場合も同様であり、切削工具２９の角度を割り出し、ＸＳ軸による移動動作で工具軸線Ｍ４に沿って工具を送って切り込み、更に図示しないＺ軸（ワーク軸線方向）の動作を行うことにより切削加工が行われる。
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
Ｘ線源と、
被検体を挟んで前記Ｘ線源と対向配置されたＸ線検出器と、
時間とともに変化する撮影条件に従って前記Ｘ線源からＸ線を曝射させて撮影を行うスキャン制御手段と、
前記撮影で取得されたＸ線投影データに対して、予め設定された再構成条件に従って再構成処理を施すことで画像データを生成する再構成処理手段と、
前記撮影条件と前記再構成条件とを含む検査情報の時間変化を表すタイムチャートを作成するタイムチャート作成手段と、
前記タイムチャート、前記撮影条件、及び前記再構成条件を表示手段に表示させる表示制御手段と、
前記表示手段に表示されているタイムチャート、及び前記再構成条件を表示している画面にて新たな再構成条件を指定する指定手段と、
を有し、
前記再構成処理手段は、前記指定された前記新たな再構成条件に従って再構成処理を施すことで新たな画像データを生成することを特徴とするＸ線ＣＴ装置。
【請求項２】
前記検査情報の変更の指示を、前記表示手段に表示されている前記タイムチャートにて受け付けて、前記検査情報を変更する編集手段と、
前記変更された検査情報を記憶する記憶手段と、を更に有し、
前記スキャン制御手段は、前記変更された検査情報に含まれる撮影条件に従って前記撮影を行うことを特徴とする請求項１に記載のＸ線ＣＴ装置。
【請求項３】
前記被検体に造影剤が注入された状態で前記撮影を行って取得されたＸ線投影データに基づいて、前記造影剤が前記被検体内で濃染していく過程を表す曲線を生成する解析手段を更に有し、
前記表示制御手段は、前記濃染の過程を表す曲線を、前記タイムチャートと同じ時間軸上で前記表示手段に表示させることを特徴とする請求項２に記載のＸ線ＣＴ装置。
【請求項４】
前記表示制御手段は、前記被検体から得られる心電波形又は呼吸波形を受け付けて、前記タイムチャートと同じ時間軸上で前記表示手段に表示させることを特徴とする請求項２に記載のＸ線ＣＴ装置。
【請求項５】
前記再構成処理手段は、前記表示手段に表示されているタイムチャートにおいて再構成処理の対象となる時間帯が前記指定手段によって指定されると、前記指定された時間帯に取得されたＸ線投影データに基づいて前記画像データを生成することを特徴とする請求項１から請求項４のいずれかに記載のＸ線ＣＴ装置。
【請求項６】
前記表示制御手段は、前記表示手段に対して、前記新たな再構成条件で生成された画像データに基づく画像を表示させ、さらに、前記タイムチャートにおいて、前記画像データが生成された時間帯を識別可能にして表示させることを特徴とする請求項５に記載のＸ線ＣＴ装置。
【請求項７】
前記タイムチャート作成手段は、複数の撮影条件によって制御される複数のスキャンエレメントが順序付けられたスキャンシーケンスを、前記Ｘ線源に供給する管電流の時間変化で表わすことで前記タイムチャートを作成することを特徴とする請求項１から請求項６のいずれかに記載のＸ線ＣＴ装置。
【請求項８】
前記タイムチャート作成手段は、複数の撮影条件によって制御される複数のスキャンエレメントが順序付けされたスキャンシーケンスを、前記Ｘ線源に供給する管電流の時間変化で表わすことで前記タイムチャートを作成し、
前記指定手段は、前記表示手段に表示されているタイムチャートにおいて再構成処理の対象となるスキャンエレメントを指定し、
前記再構成処理手段は、前記表示手段に表示されているタイムチャートにおいて再構成処理の対象となるスキャンエレメントが前記指定手段によって指定されると、前記指定されたスキャンエレメントによって取得されたＸ線投影データに基づいて前記画像データを生成することを特徴とする請求項１から請求項４のいずれかに記載のＸ線ＣＴ装置。
【請求項９】
前記表示制御手段は、前記表示手段に対して、前記新たな再構成条件で生成された画像データに基づく画像を表示させ、さらに、前記タイムチャートにおいて、前記指定されたスキャンエレメントを識別可能にして前記表示手段に表示させることを特徴とする請求項８に記載のＸ線ＣＴ装置。
【請求項１０】
前記表示制御手段は、前記表示手段に対して、予め取得された位置決め用の画像を表示させ、前記位置決め用の画像において、前記再構成処理の対象となった前記被検体の範囲を識別可能にして表示させることを特徴とする請求項１から請求項９のいずれかに記載のＸ線ＣＴ装置。
【手続補正２】
【補正対象書類名】明細書
【補正対象項目名】００１１
【補正方法】変更
【補正の内容】
【００１１】
請求項１に記載の発明は、Ｘ線源と、被検体を挟んで前記Ｘ線源と対向配置されたＸ線検出器と、時間とともに変化する撮影条件に従って前記Ｘ線源からＸ線を曝射させて撮影を行うスキャン制御手段と、前記撮影で取得されたＸ線投影データに対して、予め設定された再構成条件に従って再構成処理を施すことで画像データを生成する再構成処理手段と、前記撮影条件と前記再構成条件とを含む検査情報の時間変化を表すタイムチャートを作成するタイムチャート作成手段と、前記タイムチャート、前記撮影条件、及び前記再構成条件を表示手段に表示させる表示制御手段と、前記表示手段に表示されているタイムチャート、及び前記再構成条件を表示している画面にて新たな再構成条件を指定する指定手段と、を有し、前記再構成処理手段は、前記指定された前記新たな再構成条件に従って再構成処理を施すことで新たな画像データを生成することを特徴とするＸ線ＣＴ装置である。
【手続補正３】
【補正対象書類名】明細書
【補正対象項目名】００１２
【補正方法】変更
【補正の内容】
【００１２】
この発明によると、撮影条件と再構成条件とを含む検査情報の時間変化を表すタイムチャートを作成し、そのタイムチャートを表示することで、実際に行われた検査の全体を視覚的に把握することが可能となる。そして、そのタイムチャートで再構成条件を指定することで、再構成条件を視覚的に把握して、その再構成条件を直感的に指定することが可能となる。
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
パルプから薄層を形成し、次いで脱水された湿紙を、ドライヤシリンダー外周面に圧着させて、前記ドライヤシリンダーを加熱すると共に前記ドライヤシリンダーの周囲から前記湿紙に熱風を吹き付けて前記湿紙を乾燥することで、前記ドライヤシリンダーに接触した側の面が平滑面であり他方の面が粗面である１枚の長く連続した薄葉紙に仕上げる乾燥工程と、
１枚の前記薄葉紙が巻取られた原紙ロールを形成する原紙巻取り工程と、
前記原紙ロールに巻取られた前記薄葉紙を解いた後、前記平滑面が外周面となるように再び１枚の前記薄葉紙を巻取る加工工程と、
を有するトイレットロールの製造方法。
【手続補正２】
【補正対象書類名】明細書
【補正対象項目名】発明の名称
【補正方法】変更
【補正の内容】
【発明の名称】トイレットロールの製造方法
【手続補正３】
【補正対象書類名】明細書
【補正対象項目名】０００１
【補正方法】変更
【補正の内容】
【０００１】
本発明は、１プライタイプのトイレットロールの製造方法に関するものである。
【手続補正４】
【補正対象書類名】明細書
【補正対象項目名】０００６
【補正方法】変更
【補正の内容】
【０００６】
上記の問題に鑑みて、本発明の課題は、巻取り状態における滑らかな手触り感と取り扱いに優れるトイレットロールを得られる、トイレットロールの製造方法を提供することにある。
【手続補正５】
【補正対象書類名】明細書
【補正対象項目名】０００７
【補正方法】変更
【補正の内容】
【０００７】
上記の課題を解決するため、本発明によれば、以下のトイレットロールの製造方法が提供される。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
［１］  パルプから薄層を形成し、次いで脱水された湿紙を、ドライヤシリンダー外周面に圧着させて、前記ドライヤシリンダーを加熱すると共に前記ドライヤシリンダーの周囲から前記湿紙に熱風を吹き付けて前記湿紙を乾燥することで、前記ドライヤシリンダーに接触した側の面が平滑面であり他方の面が粗面である１枚の長く連続した薄葉紙に仕上げる乾燥工程と、１枚の前記薄葉紙が巻取られた原紙ロールを形成する原紙巻取り工程と、前記原紙ロールに巻取られた前記薄葉紙を解いた後、前記平滑面が外周面となるように再び１枚の前記薄葉紙を巻取る加工工程と、を有するトイレットロールの製造方法。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明のトイレットロールの製造方法によれば、巻取り状態における滑らかな手触り感や取り扱いに優れたトイレットロールを得ることができる。
【手続補正１０】
【補正対象書類名】明細書
【補正対象項目名】００１３
【補正方法】変更
【補正の内容】
【００１３】
Ａ．本発明の製造方法により得られるトイレットロール：
Ａ‐１．本発明の製造方法により得られるトイレットロールの概要：
図１に示されるように、本発明の製造方法により得られるトイレットロール１は、一方の面が平滑面２であり他方の面が粗面３である１枚の帯状の薄葉紙５が、平滑面２をトイレットロールの外周面４となるように巻取られている。
【手続補正１１】
【補正対象書類名】明細書
【補正対象項目名】００１８
【補正方法】変更
【補正の内容】
【００１８】
Ａ‐３．前記トイレットロールの作用：
上記のようにロール外周面が平滑面となるようにすることで、前記トイレットロールは、巻取り状態で取り扱う際に滑らかな手触り感を与えることができる。また、前記トイレットロールでは、ロール外周面の摩擦抵抗が低減されていることで、トイレットロールの包装時及びホルダーに装着したトイレットロールから薄葉紙を引き出す際などに、扱いに手間取るあるいは薄葉紙を破るといったトラブルの発生を減少させることができる。
【手続補正１２】
【補正対象書類名】明細書
【補正対象項目名】００１９
【補正方法】変更
【補正の内容】
【００１９】
前記トイレットロールは、例えば、以下に詳しく述べる製造方法によって得ることができる。
【手続補正１３】
【補正対象書類名】明細書
【補正対象項目名】００２０
【補正方法】変更
【補正の内容】
【００２０】
Ｂ．本発明のトイレットロールの製造方法：
Ｂ‐１．本発明のトイレットロールの製造方法の概要：
本発明のトイレットロールの製造方法は、パルプから薄層を形成し、次いで脱水された湿紙を、ドライヤシリンダー外周面に圧着させて、前記ドライヤシリンダーを加熱すると共に前記ドライヤシリンダーの周囲から前記湿紙に熱風を吹き付けて前記湿紙を乾燥することで、前記ドライヤシリンダーに接触した側の面が平滑面であり他方の面が粗面である１枚の長く連続した薄葉紙に仕上げる乾燥工程と、１枚の薄葉紙が巻取られた原紙ロールを形成する原紙巻取り工程と、原紙ロールに巻取られた薄葉紙を解いた後、平滑面が外周面となるように再び１枚の薄葉紙を巻取る加工工程と、を有することを特徴とする。
【手続補正１４】
【補正対象書類名】明細書
【補正対象項目名】００３２
【補正方法】変更
【補正の内容】
【００３２】
Ｂ‐２‐４．乾燥工程：
乾燥工程は、一般に、図２に示された抄紙機のドライヤパート１３で行われる工程がこれに相当する。本発明で用いる乾燥工程は、パルプから薄層を形成し、次いで脱水された湿紙を、ドライヤシリンダー外周面に圧着させて、前記ドライヤシリンダーを加熱すると共に前記ドライヤシリンダーの周囲から前記湿紙に熱風を吹き付けて前記湿紙を乾燥することで、前記ドライヤシリンダーに接触した側の面が平滑面であり他方の面が粗面である１枚の長く連続した薄葉紙に仕上げるものである。
【手続補正１５】
【補正対象書類名】明細書
【補正対象項目名】００４９
【補正方法】変更
【補正の内容】
【００４９】
本発明は、巻取り状態における滑らかな手触り感と取り扱いに優れるトイレットロールを得られる、トイレットロールの製造方法に関するものである。
【手続補正１６】
【補正対象書類名】明細書
【補正対象項目名】００５０
【補正方法】変更
【補正の内容】
【００５０】
【図１】本発明の製造方法により得られるトイレットロールの斜視図であり、先端部の巻取りを解いた状態を示す図である。
【図２】本発明の製造方法により得られるトイレットロールの原紙の製造工程の一具体例の概要を表した図である。
【図３】本発明の製造方法における加工工程の一具体例を表した図である。
【図４】本発明の製造方法における原紙ロールの巻取りの解きとログの巻取りとの関係を表した図である。
【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
光源手段が発したパルス光を被検体に導く照明光学手段と、前記パルス光によって前記被検体内で発生した弾性波を検出し電気信号に変換する検出手段と、を備える検査装置であって、
前記照明光学手段は、前記被検体の両側からパルス光を照射する、前記被検体を挟んで対向して配置される第一の照明光学手段と第二の照明光学手段とを備え、
前記検出手段は、前記第一の照明光学手段が配置される側と第二の照明光学手段が配置される側のうち、いずれか一方と同じ側に配置されることを特徴とする検査装置。
【請求項２】
前記検出手段は前記第一の照明光学手段と同じ側に配置され、
前記第一の照明光学手段と、前記検出手段とは、
前記第一の照明光学手段が被検体を照明する領域の軸対称の中心軸と、
前記検出手段が弾性波を検出する領域の軸対称の中心軸と、
を一致させて配置されていることを特徴とする請求項１に記載の検査装置。
【請求項３】
前記第一の照明光学手段と前記第二の照明光学手段とは、
前記第一の照明光学手段が被検体を照明する領域の軸対称の中心軸と、
前記第二の照明光学手段が被検体を照明する領域の軸対称の中心軸と、
を一致させて配置されていることを特徴とする請求項１または請求項２に記載の検査装置。
【請求項４】
前記第一及び第二の照明光学手段と前記検出手段の相互の位置関係を保ち、前記第一及び第二の照明光学手段と前記検出手段とを前記被検体に対して走査する走査駆動手段を有することを特徴とする請求項１から３のいずれか１項に記載の検査装置。
【請求項５】
前記被検体を両側から保持する第一のプレートと第二のプレートと、を有し、前記検出手段と、前記検出手段と同じ側に配置される前記第一の照明光学手段とは、前記第一のプレートの被検体側とは反対側に配置され、
前記第二の照明光学手段は、前記第二のプレートの被検体側とは反対側に配置されることを特徴とする請求項１から４のいずれか１項に記載の検査装置。
【請求項６】
前記第一及び第二の照明光学手段は、パルス光を被検体に同時に照射することを特徴とする請求項１から５のいずれか１項に記載の検査装置。
【請求項７】
前記照明光学手段は、少なくとも光ファイバーを備えていることを特徴とする請求項１から６のいずれか１項に記載の検査装置。
【手続補正２】
【補正対象書類名】明細書
【補正対象項目名】発明の名称
【補正方法】変更
【補正の内容】
【発明の名称】検査装置
【手続補正３】
【補正対象書類名】明細書
【補正対象項目名】０００１
【補正方法】変更
【補正の内容】
【０００１】
本発明は、生体組織内部の分光特性を計測するための検査装置に関し、特に光音響効果を利用した測定装置に適応するものである。
【手続補正４】
【補正対象書類名】明細書
【補正対象項目名】０００７
【補正方法】変更
【補正の内容】
【０００７】
本発明は、上記課題に鑑み、生体組織の深部にある吸収体の境界から発生する光音響信号を、高いコントラストの信号で検出することにより、吸収体の位置と大きさを高精度に測定することが可能となる検査装置の提供を目的とする。
【手続補正５】
【補正対象書類名】明細書
【補正対象項目名】０００８
【補正方法】変更
【補正の内容】
【０００８】
本発明は、つぎのように構成した生体検査装置を提供するものである。
本発明の検査装置は、光源手段が発したパルス光を被検体に導く照明光学手段と、前記パルス光によって前記被検体内で発生した弾性波を検出し電気信号に変換する検出手段と、を備える検査装置であって、
前記照明光学手段は、前記被検体の両側からパルス光を照射する、前記被検体を挟んで対向して配置される第一の照明光学手段と第二の照明光学手段とを備え、
前記検出手段は、前記第一の照明光学手段が配置される側と第二の照明光学手段が配置される側のうち、いずれか一方と同じ側に配置されることを特徴とする。
【手続補正６】
【補正対象書類名】明細書
【補正対象項目名】０００９
【補正方法】変更
【補正の内容】
【０００９】
生体組織の深部にある吸収体の境界から発生する光音響信号を、高いコントラストの信号で検出することにより、吸収体の位置と大きさを高精度に測定することが可能となる検査装置を実現することができる。
【手続補正７】
【補正対象書類名】明細書
【補正対象項目名】００１０
【補正方法】変更
【補正の内容】
【００１０】
つぎに、本発明の実施形態について説明する。
本発明の実施形態の検査装置は、光源手段が発したパルス光を被検体に導く照明光学手段と、前記パルス光によって前記被検体内で発生した弾性波を検出し電気信号に変換する検出手段と、を備える。
また、前記照明光学手段は、前記被検体の両側からパルス光を照射する、前記被検体を挟んで対向して配置される第一の照明光学手段と第二の照明光学手段とにより構成されている。
そして、前記検出手段は、前記第一の照明光学手段が配置される側と第二の照明光学手段が配置される側のうち、いずれか一方と同じ側に配置されている。
また、本発明の実施形態においては、前記検出手段は前記第一の照明光学手段と同じ側に配置され、
前記第一の照明光学手段と、前記検出手段とは、
前記第一の照明光学手段が被検体を照明する領域の軸対称の中心軸と、
前記検出手段が弾性波を検出する領域の軸対称の中心軸と、
を一致させて配置されている。
また、本発明の実施形態においては、前記第一の照明光学手段と前記第二の照明光学手段とが、
前記第一の照明光学手段が被検体を照明する領域の軸対称の中心軸と、
前記第二の照明光学手段が被検体を照明する領域の軸対称の中心軸と、
を一致させて配置されている。
また、本発明の実施形態においては、前記第一及び第二の照明光学手段と前記検出手段の相互の位置関係を保ち、前記第一及び第二の照明光学手段と前記検出手段とを前記被検体に対して走査する走査駆動手段を有する構成とすることができる。
また、本発明の実施形態においては、前記被検体を両側から保持する第一のプレートと第二のプレートと、を有し、
前記検出手段と、前記検出手段と同じ側に配置される前記第一の照明光学手段とは、前記第一のプレートの被検体側とは反対側に配置され、
前記第二の照明光学手段は、前記第二のプレートの被検体側とは反対側に配置される構成とすることができる。
また、本発明の実施形態においては、前記第一及び第二の照明光学手段は、パルス光を被検体に同時に照射する構成とすることができる。
また、本発明の実施形態においては、前記照明光学手段を、光ファイバーによって構成することができる。
【手続補正書】
【提出日】平成23年7月14日(2011.7.14)
【手続補正１】
【補正対象書類名】特許請求の範囲
【補正対象項目名】請求項１
【補正方法】変更
【補正の内容】
【請求項１】
揺動する探触子を備え、前記探触子から超音波を送受信し前記揺動における揺動角度の情報を出力する３次元超音波プローブと、
前記プローブに送信信号を出力する送信部と、
前記プローブで受信した超音波信号を受信信号として出力する受信部と、
前記受信部から出力された前記受信信号を処理してＢ画像データを出力する超音波画像処理部と、
前記超音波画像処理部から出力されたＢ画像データを、前記Ｂ画像データを取得した前記揺動角度に関連付けて記憶するメモリと、
前記プローブの移動に伴い、前記メモリから読み出した前記Ｂ画像データを前記揺動角度ごとに前記プローブの移動方向に合成することにより拡大して出力する視野拡大処理部と、
前記揺動角度の情報に基づいて、前記揺動角度ごとでかつ前記移動方向に拡大したＢ画像から３次元画像を生成し出力する３次元表示処理部とを備えた超音波診断装置。
【手続補正２】
【補正対象書類名】明細書
【補正対象項目名】０００８
【補正方法】変更
【補正の内容】
【０００８】
本発明の超音波診断装置は、揺動する探触子を備え、前記探触子から超音波を送受信し前記揺動における揺動角度の情報を出力する３次元超音波プローブと、前記プローブに送信信号を出力する送信部と、前記プローブで受信した超音波信号を受信信号として出力する受信部と、前記受信部から出力された前記受信信号を処理してＢ画像データを出力する超音波画像処理部と、前記超音波画像処理部から出力されたＢ画像データを、前記Ｂ画像データを取得した前記揺動角度に関連付けて記憶するメモリと、前記プローブの移動に伴い、前記メモリから読み出した前記Ｂ画像データを前記揺動角度ごとに前記プローブの移動方向に合成することにより拡大して出力する視野拡大処理部と、前記揺動角度の情報に基づいて、前記揺動角度ごとでかつ前記移動方向に拡大したＢ画像から３次元画像を生成し出力する３次元表示処理部とを備えた構成である。
【手続補正書】
【提出日】平成23年3月9日(2011.3.9)
【手続補正１】
【補正対象書類名】明細書
【補正対象項目名】００２２
【補正方法】変更
【補正の内容】
【００２２】
尚、図２に示されるように、固定子コア４Ａの外周部分である外面には絶縁塗装４Ｃが施されていない。これにより固定子コア４Ａ外面の基材がハウジング２（図１）内に露出することになる。ハウジング２内にはファン３２により空気が流れるため、固定子コイル束４Ｂに通電して発熱したとしても、この発熱を固定子コア４Ａの外面部分でハウジング２内の空気中に発散し、好適に固定子４Ａ及び固定子コイル束４Ｂを冷却することができ、固定子４Ａの透磁率の低下を抑制し、かつ絶縁塗装４Ｃの熱劣化を抑制することができる。
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
遊技に際して各種制御を実行する制御手段と、
一定周期毎に期間経過情報を更新する経過情報更新手段と、
電源が投入された場合に時刻情報を入力する時刻情報入力手段と、
前記時刻情報及び前記期間経過情報から現在の時刻を時間情報として計測する計測手段と、
を備え、
前記制御手段は、前記計測手段により計測された前記時間情報に基づいて予め定めた制御を実行することを特徴とする遊技機。
【請求項２】
電源が投入された場合に暦情報を入力する暦情報入力手段を備え、
前記制御手段は、さらに、前記暦情報入力手段によって入力された暦情報に基づいて制御を実行することを特徴とする請求項１に記載の遊技機。
【請求項３】
演出を実行する演出実行手段を備え、
前記制御手段は、前記時間情報によって実行される演出が変化するよう前記演出実行手段を制御することを特徴とする請求項１又は２に記載の遊技機。
【請求項４】
予め定められた特定演出を記憶する特定演出記憶手段を備え、
前記制御手段は、前記時間情報に対応した時刻が予め定められた特定時刻となった場合に、前記特定演出記憶手段に記憶されている前記特定演出を実行するよう前記演出実行手段を制御することを特徴とする請求項３に記載の遊技機。
【請求項５】
電源が投入された場合に暦情報を入力する暦情報入力手段と、
複数の特定時刻を前記暦情報に対応付けて記憶する特定時刻記憶手段と、
を備え、
前記制御手段は、前記暦情報入力手段により入力された暦情報に基づき当該暦情報に対応した特定時刻を前記特定時刻記憶手段から導出し、この特定時刻になった場合に、前記特定演出を実行するよう前記演出実行手段を制御することを特徴とする請求項４に記載の遊技機。
【請求項６】
前記計測手段は、時間情報として、現在の時刻を時情報、分情報としてそれぞれ個別に記憶する記憶手段を備えていることを特徴とする請求項１乃至５のいずれか１に記載の遊技機。
【請求項７】
演出を実行する演出実行手段と、
予め定められた特定演出を記憶する特定演出記憶手段と、
予め定められた特定時刻に対応した時情報及び分情報を記憶する特定時刻記憶手段と、
前記特定時刻記憶手段に記憶されている情報と、前記記憶手段に記憶されている情報とを比較する比較手段と、
を備え、
前記制御手段は、前記比較手段による比較結果が一致していた場合に、前記特定演出を実行するよう前記演出実行手段を制御することを特徴とする請求項６に記載の遊技機。
【請求項８】
遊技機に電源が投入された場合に遊技機の初期設定を行う初期設定処理を実行する初期設定手段を備え、
前記時刻情報入力手段は、前記初期設定処理が実行された場合に前記時刻情報を入力するものであり、
前記経過情報更新手段は、前記初期設定処理が終了した場合に前記期間経過情報の更新を開始することを特徴とする請求項１乃至７のいずれか１に記載の遊技機。
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
演出を実行する演出実行手段と、
前記演出実行手段を制御する制御手段と、
一定周期毎に期間経過情報を更新する経過情報更新手段と、
識別情報が記憶される識別記憶手段と、
電源が投入された場合に時刻情報を入力する時刻情報入力手段と、
前記時刻情報及び前記期間経過情報の値から現在の時刻を時間情報として計測する計測手段と、
を備え、
前記制御手段は、前記計測手段によって計測された前記時間情報及び前記識別情報に基づいて予め定めた演出を実行するよう前記演出実行手段を制御することを特徴とする遊技機。
【請求項２】
予め定められた特定演出を記憶する特定演出記憶手段と、
前記識別情報に対応付けて設定された特定時刻を記憶する特定時刻記憶手段と、
を備え、
前記制御手段は、前記識別記憶手段に記憶されている識別情報に基づき当該識別情報に対応した特定時刻を前記特定時刻記憶手段から導出し、この特定時刻になった場合に、前記特定演出を実行するよう前記演出実行手段を制御することを特徴とする請求項１に記載の遊技機。
【請求項３】
前記制御手段は、前記識別情報が第１情報である場合、前記時間情報に対応した時刻が第１特定時刻となった場合に第１特定演出を実行するよう前記演出実行手段を制御するものであり、前記識別情報が第２情報である場合、前記時間情報に対応した時刻が第２特定時刻となった場合に前記第１特定演出と連動した第２特定演出を実行するよう前記演出実行手段を制御することを特徴とする請求項２に記載の遊技機。
【請求項４】
第１特定時刻よりも第２特定時刻が遅い時刻として設定されており、前記制御手段は、前記第１特定演出を実行した場合、前記第２特定時刻となった後に前記第１特定演出を終了するよう前記演出実行手段を制御することを特徴とする請求項３に記載の遊技機。
【請求項５】
前記特定演出を実行させないように操作される操作手段を備え、
前記制御手段は、前記操作手段が操作された場合、前記特定演出を実行しないよう前記演出実行手段を制御することを特徴とする請求項２乃至４のいずれか１に記載の遊技機。
【請求項６】
電源が投入された場合に前記時刻情報入力手段へ時刻情報を出力する時刻情報出力手段を備えたことを特徴とする請求項１乃至５のいずれか１に記載の遊技機。
【請求項７】
前記計測手段は、時間情報として、現在の時刻を時情報、分情報としてそれぞれ個別に記憶する記憶手段を備えていることを特徴とする請求項１乃至６のいずれか１に記載の遊技機。
【請求項８】
予め定められた特定演出を記憶する特定演出記憶手段と、
予め定められた特定時刻に対応した時情報及び分情報を記憶する特定時刻記憶手段と、
前記特定時刻記憶手段に記憶されている情報と、前記記憶手段に記憶されている情報とを比較する比較手段と、
を備え、
前記制御手段は、前記比較手段による比較結果が一致していた場合に、前記特定演出を実行するよう前記演出実行手段を制御することを特徴とする請求項７に記載の遊技機。
【請求項９】
電源が投入された場合に初期設定に係る初期設定処理を実行する初期設定手段を備え、
前記時刻情報入力手段は、前記初期設定処理が実行された場合に前記時刻情報を入力するものであり、
前記経過情報更新手段は、前記初期設定処理が終了した場合に前記期間経過情報の更新を開始することを特徴とする請求項１乃至８のいずれか１に記載の遊技機。
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
演出を実行する演出実行手段と、
演出を実行するよう前記演出実行手段を制御する制御手段と、
予め定めた開始タイミングから一定周期毎に期間経過情報を更新する経過情報更新手段と、
電源が投入された場合に暦情報を入力する暦情報入力手段と、
を備え、
前記制御手段は、前記期間経過情報及び前記暦情報に基づいて予め定めた特定演出を実行するよう前記演出実行手段を制御することを特徴とする遊技機。
【請求項２】
前記経過情報更新手段は、電源が投入された場合に前記期間経過情報の更新を開始することを特徴とする請求項１に記載の遊技機。
【請求項３】
前記期間経過情報から予め定められた特定期間が経過したことを特定する期間特定手段を備え、
前記制御手段は、電源が投入されてから前記特定期間が経過した場合に、前記特定演出を実行するよう前記演出実行手段を制御することを特徴とする請求項２に記載の遊技機。
【請求項４】
複数の特定期間を前記暦情報に対応付けて記憶する特定期間記憶手段を備え、
前記制御手段は、前記暦情報に対応した特定期間を前記特定期間記憶手段から導出し、この特定期間になった場合に、前記特定演出を実行するよう前記演出実行手段を制御することを特徴とする請求項３に記載の遊技機。
【請求項５】
識別情報が記憶される識別記憶手段を備え、
前記特定期間記憶手段は、前記特定期間を前記識別情報及び前記暦情報に対応付けて記憶するものであり、
前記制御手段は、前記暦情報及び前記識別記憶手段に記憶されている識別情報に対応した特定期間を前記特定期間記憶手段から導出し、この特定期間になった場合に、前記特定演出を実行するよう前記演出実行手段を制御することを特徴とする請求項４に記載の遊技機。
【請求項６】
前記特定演出を実行させないように操作される操作手段を備え、
前記制御手段は、前記操作手段が操作された場合、前記特定演出を実行しないよう前記演出実行手段を制御することを特徴とする請求項１乃至５のいずれか１に記載の遊技機。
【請求項７】
電源が投入された場合に前記暦情報入力手段へ前記暦情報を出力する暦情報出力手段を備えたことを特徴とする請求項１乃至６のいずれか１に記載の遊技機。
【手続補正書】
【提出日】平成23年5月30日(2011.5.30)
【手続補正１】
【補正対象書類名】特許請求の範囲
【補正対象項目名】請求項１
【補正方法】変更
【補正の内容】
【請求項１】
タッチ操作可能な表示画面と操作入力手段とを有するコンピュータに、プレーヤキャラクタと敵キャラクタとの対戦画像を前記表示画面に表示させて、対戦ゲームを実行させるためのプログラムであって、
前記表示画面へ為されたタッチ操作入力が、敵キャラクタを選択する所定の選択操作であることを検出する選択操作検出部、
前記選択操作検出部で検出された選択操作によって選択された敵キャラクタを攻撃対象として登録する攻撃対象登録部、
前記表示画面へ為されたタッチ操作入力が、攻撃対象として登録された敵キャラクタへの攻撃を指示する所定の攻撃指示操作であることを検出する攻撃指示操作検出部、
前記攻撃指示操作検出部の検出に応じて、前記プレーヤキャラクタを、攻撃対象として登録された敵キャラクタに対して攻撃させる攻撃制御部、
前記攻撃制御部による攻撃制御中であるか否かにかかわらず、前記操作入力手段に為されたプレーヤの操作入力に基づいて前記プレーヤキャラクタを移動させる移動制御部、
として前記コンピュータを機能させるプログラム。
【手続補正２】
【補正対象書類名】特許請求の範囲
【補正対象項目名】請求項１２
【補正方法】変更
【補正の内容】
【請求項１２】
タッチ操作可能な表示画面と操作入力手段とを有し、プレーヤキャラクタと敵キャラクタとの対戦画像を前記表示画面に表示して、対戦ゲームを実行するゲーム装置であって、
前記表示画面へ為されたタッチ操作入力が、敵キャラクタを選択する所定の選択操作であることを検出する選択操作検出部と、
前記選択操作検出部で検出された選択操作によって選択された敵キャラクタを攻撃対象として登録する攻撃対象登録部と、
前記表示画面へ為されたタッチ操作入力が、攻撃対象として登録された敵キャラクタへの攻撃を指示する所定の攻撃指示操作であることを検出する攻撃指示操作検出部、
前記攻撃指示操作検出部の検出に応じて、前記プレーヤキャラクタを、攻撃対象として登録された敵キャラクタに対して攻撃させる攻撃制御部と、
前記攻撃制御部による攻撃制御中であるか否かにかかわらず、前記操作入力手段に為されたプレーヤの操作入力に基づいて前記プレーヤキャラクタを移動させる移動制御部と、
を備えるゲーム装置。
【手続補正書】
【提出日】平成23年5月2日(2011.5.2)
【手続補正１】
【補正対象書類名】明細書
【補正対象項目名】００１０
【補正方法】変更
【補正の内容】
【００１０】
ベッド２より上手側となる上方にはテープ供給装置６が配置されている。テープ供給装置６は帯状テープＴを挟持する駆動ローラ７と従動ローラ８を備えている。図２に示されるように駆動ローラ７は軸片７ａを有し、軸片７ａに歯付プーリ９が取り付けられている。歯付プーリ９の上方にはステッピングモータ１０の出力軸１０ａに固定された歯付プーリ１１が配置されている。輪状のタイミングベルト１２は歯付プーリ９，１１に装架され、タイミングベルト１２の内側に形成された歯部１２ａと歯付プーリ９，１１の歯部とが相互に噛み合うようになっている。ステッピングモータ１０はミシン前面のブラケット１３に取り付けられ、出力軸１０ａの回転量はミシン駆動速度に応じて決められる。ミシンの駆動に連動してモータ１０の出力軸１０ａが矢印α方向に回転すると出力軸１０ａの回転はタイミングベルト１２を通じて軸片７ａに伝動され、その結果、駆動ローラ７は回転することとなる。この時、駆動ローラ７と従動ローラ８に挟持された帯状テープＴは縫製部となる押え金５に供給される。なお図３に示されるように、ブラケット１３は歯付プーリ９の両サイドまで延びており、その延設部１３ａ，１３ａに軸片７ａは回転可能に支持されている。
【手続補正２】
【補正対象書類名】明細書
【補正対象項目名】００１１
【補正方法】変更
【補正の内容】
【００１１】
ベッド２とテープ供給装置６（駆動ローラ７）との間にはテープカッター１４が配置されている。このテープカッター１４は固定メス１５と動メス１６を備え、固定メス１５はブラケット１３の突片１３ｂの下面に固定されている。動メス１６は段付ネジ１５ａによって固定メス１５に回転可能に固定され、動メス１６の基部はリンク部材１７を介してエアシリンダ１８のロッド１８ａに連結されている。エアシリンダ１８のロッド１８ａは長手方向に進退可能となっている。エアシリンダ１８は、複動式となっており、第１ポート１８ｂおよび第２ポート１８ｃを備える。第１ポート１８ｂは第１クイックエキゾーストバルブ１９Ａの出力ポート１９ｓに接続され、第２ポート１８ｃは第２クイックエキゾーストバルブ１９Ｂの出力ポート１９ｘに接続されている。両クイックエキゾーストバルブ１９Ａ，１９Ｂの入力ポート１９ｔ，１９ｙは電磁弁２０に接続され、電磁弁２０はエア供給源２１に接続されている。電磁弁２０は２つの弁２０ａ，２０ｂを有し、電磁弁２０の開閉はテープ縫付け終了時に発生するメス作動信号に基づいて行われる。
【手続補正３】
【補正対象書類名】明細書
【補正対象項目名】００１３
【補正方法】変更
【補正の内容】
【００１３】
テープ縫付け終了時に発生する信号により電磁弁２０の一方の弁２０ａが開放されると、エア供給源２１より第１クイックエキゾーストバルブ１９Ａの入力ポート１９ｔにエアが供給される。これにより第１クイックエキゾーストバルブ１９Ａの入力ポート１９ｔが開くと共に排気ポート１９ｕが閉じる。入力ポート１９ｔに供給されたエアは出力ポート１９ｓを通じてエアシリンダ１８の第１ポート１８ｂに供給され、エアシリンダ１８のロッド１８ａが進出する。ロッド１８ａの進出により動メス１６が固定メス１５側に旋回して帯状テープＴが切断される。ロッド１８ａの進出時、第１ポート１８ｂより供給されたエアの一部は第２ポート１８ｃを経て第２クイックエキゾーストバルブ１９Ｂの出力ポート１９ｘに供給される。この時、第２クイックエキゾーストバルブ１９Ｂの入力ポート１９ｙが開いていると当該ポート１９ｙが閉じて排気ポート１９ｚが開く。出力ポート１９ｘに供給されたエアは排気ポート１９ｚよりエアブロワ２２の送風管２４に供給されて送風管２４端部の送風口２４ａより送風される。つまり第２クイックエキゾーストバルブ１９Ｂの出力ポート１９ｘに供給されたエアは電磁弁２０に戻されることなくエアブロワ２２の送風管２４に供給され、歯付プーリ９の歯部９ａに付着する綿埃が除去されることとなる。
【手続補正４】
【補正対象書類名】明細書
【補正対象項目名】００１４
【補正方法】変更
【補正の内容】
【００１４】
その後、一方の弁２０ａの閉鎖と共に他方の弁２０ｂが開放されると、エア供給源２１より第２クイックエキゾーストバルブ１９Ｂの入力ポート１９ｙにエアが供給される。すると第２クイックエキゾーストバルブ１９Ｂの入力ポート１９ｙが開いて排気ポート１９ｚが閉じる。入力ポート１９ｙに供給されたエアは出力ポート１９ｘを通じてエアシリンダ１８の第２ポート１８ｃに供給され、エアシリンダ１８のロッド１８ａが後退する。ロッド１８ａの後退により動メス１６が逆旋回して帯状テープＴの供給スペースが確保される。ロッド１８ａの後退時、第２ポート１８ｃより供給されたエアの一部は第１ポート１８ｂを経て第１クイックエキゾーストバルブ１９Ａの出力ポート１９ｓに供給される。この時、第１クイックエキゾーストバルブ１９Ａの入力ポート１９ｔが閉じて排気ポート１９ｕが開く。出力ポート１９ｓに供給されたエアは排気ポート１９ｕよりエアブロワ２２の送風管２３に供給されて送風管２３端部の送風口２３ａより送風される。つまり第１クイックエキゾーストバルブ１９Ａの出力ポート１９ｓに供給されたエアは電磁弁２０に戻されることなくエアブロワ２２の送風管２３に供給され、タイミングベルト１２の歯部１２ａに付着する綿埃が歯付プーリ９の歯部９ａ手前で除去されることとなる。このようにテープ縫付け終了時のエアブロワ２２からのエア送風を先ず歯付プーリ９の歯部９ａに対して行い、次にタイミングベルト１２の歯部１２ａに対して行うと、綿埃が歯付プーリ９上で除去されなくても歯付プーリ９への付着力が低下した状態となり、タイミングベルト１２の歯部１２ａ近傍にてエア送風された際には該綿埃が確実に除去されることとなる。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
有底筒状の本体部と、露出状態で使用される装着部とが別体に構成され、前記本体部に前記装着部を嵌合すると使用可能となる錠剤用コップであって、
前記装着部は、前記本体部に液密に接触する外周部と、錠剤服用に先行して飲料水が導入される注水口を除いて前記本体部の上部を覆う仕切部と、前記外周部の内側において前記仕切部から前記本体部の長さ方向に延びる筒状のポケット部とが一体的に構成され、
前記ポケット部には、錠剤が通過できない流水口が形成されていることを特徴とする錠剤服用コップ。
【請求項２】
前記装着部の外周面が、前記本体部の内周面に接触している請求項１に記載の錠剤服用コップ。
【請求項３】
前記ポケット部は、前記仕切部から上方に延びて形成されている請求項1又は２に記載の錠剤服用コップ。
【請求項４】
前記流水口は、前記ポケット部の底面だけに形成されている請求項１〜３の何れかに記載の錠剤服用コップ。
【請求項５】
前記ポケット部の一部は、前記外周部で構成されている請求項１〜４の何れかに記載の錠剤服用コップ。
【請求項６】
前記装着部は、その外周部が前記本体部の頂部周縁に外嵌されることで、前記本体部に嵌合されている請求項１に記載の錠剤服用コップ。
【請求項７】
前記ポケット部は、前記仕切部から下方に延びて形成されている請求項1又は６に記載の錠剤服用コップ。
【請求項８】
前記流水口は、前記ポケット部の側面にも形成されている請求項６又は７に記載の錠剤服用コップ。
【請求項９】
有底筒状のコップ本体部に嵌合されて、錠剤服用のために露出状態で使用される装着部材であって、
前記本体部に液密に接触する外周部と、錠剤服用に先行して飲料水が導入される注水口を除いて前記本体部の上部を覆う仕切部と、前記仕切部から前記本体部の長さ方向に延びる筒状のポケット部とが一体的に構成され、
前記ポケット部には、錠剤が通過できない流水口が形成されていることを特徴とする錠剤服用の装着部材。
【手続補正２】
【補正対象書類名】明細書
【補正対象項目名】００１０
【補正方法】変更
【補正の内容】
【００１０】
上記の目的を達成するため、本発明に係る錠剤服用コップは、有底筒状の本体部と、露出状態で使用される装着部とが別体に構成され、前記本体部に前記装着部を嵌合すると使用可能となる錠剤用コップであって、前記装着部は、前記本体部に液密に接触する外周部と、錠剤服用に先行して飲料水が導入される注水口を除いて前記本体部の上部を覆う仕切部と、前記外周部の内側において前記仕切部から前記本体部の長さ方向に延びる筒状のポケット部とが一体的に構成され、前記ポケット部には、錠剤が通過できない流水口が形成されている。
【手続補正３】
【補正対象書類名】明細書
【補正対象項目名】００１７
【補正方法】変更
【補正の内容】
【００１７】
また、本発明に係る錠剤服用の装着部材は、有底筒状のコップ本体部に嵌合されて、錠剤服用のために露出状態で使用される装着部材であって、前記本体部に液密に接触する外周部と、錠剤服用に先行して飲料水が導入される注水口を除いて前記本体部の上部を覆う仕切部と、前記仕切部から前記本体部の長さ方向に延びる筒状のポケット部とが一体的に構成され、前記ポケット部には、錠剤が通過できない流水口が形成されている。
【手続補正書】
【提出日】平成23年2月28日(2011.2.28)
【手続補正１】
【補正対象書類名】明細書
【補正対象項目名】００２５
【補正方法】変更
【補正の内容】
【００２５】
たとえば、上記実施形態では、断続的に「びびり振動」が検出された場合、回転軸の回転速度を微小変化させる構成としているが、この際の回転速度の変化率は、変化させる前の回転速度の大小や工具刃数、動特性等に応じて変更した方がよい。つまり、回転速度が低速度の場合は、１０ｍｉｎ−１程度の変化量でも効果がある一方、回転速度が高速になればなるほど、安定／不安定域が広範囲になるため、回転速度の２０〜３０％程度変化させなければ振動抑制効果を十分に得られないこともあるため、上記条件に応じて適宜変更可能となっている。
また、演算式（１）〜（４）で用いる予め設定するとした各種閾値は、工作機械の種類に応じて適宜調査し決定することが可能である（たとえば、上記実施形態において、位相閾値は０．２〜０．６の間の数値を取ることが可能であるし、工具や加工物の大きさ・種類等に応じても異なる数値を採用可能である）。さらに、上記実施形態では、位相閾値と比較する変化量を求めるにあたり、差分（演算式（４））によりｋ’値の実際の変化量を求めているが、微分により変化割合を求め、当該変化割合を変化量として位相閾値と比較するようにしてもよい。加えて、ｋ’値の変化量ではなく、回転速度変更前後のびびり周波数の変化量を位相閾値と比較する変化量として採用することも可能である。